(57)【要約】【課題】浴槽の出入りの際に入浴者の体を支えるのに都合がよく、浴槽の出入りや入浴時に邪魔になることもなく、使い勝手がきわめて良好であり、また使用しないときは邪魔にならない位置に保持できると共に簡易な物干しバーとして付加価値を高めることができる浴室用握りバーを提供すること。【解決手段】浴槽フランジ部４のコーナー部４ａと天井部６との間に配置される握りバー７の基端７ａを天井部６に回動自在に吊り下げ支持すると共に握りバー７の先端７ｂを浴槽フランジ部４のコーナー部４ａに設けた凹部５に抜き差し自在とし、握りバー７の先端７ｂを凹部５に差し込むことで握りバー７が垂直姿勢で保持され、握りバー７の先端７ｂを凹部５から抜いて基端７ａ側を支点にして横方向に回動させることで、握りバー７を垂直姿勢から横向き姿勢に変更可能とした。【選択図】図１
2008289806.tif 000002
【特許請求の範囲】
【請求項１】
洗い場と浴槽との境界となる浴槽フランジ部のコーナー部と該コーナー部の上方の天井部との間に握りバーを配置し、該握りバーの基端が天井部に回動自在に吊り下げ支持されると共に該握りバーの先端が浴槽フランジ部のコーナー部に設けた凹部に抜き差し自在とされ、該握りバーの先端を凹部に差し込むことで握りバーが垂直姿勢で保持され、該握りバーの先端を凹部から抜いて基端側を支点にして横方向に回動させることで、該握りバーを垂直姿勢から横向き姿勢に変更可能としたことを特徴とする浴室用握りバー。
【発明の詳細な説明】
【技術分野】
【０００１】
本発明は、浴室用握りバーに関するものである。
【背景技術】
【０００２】
従来から、浴室内において浴槽近くの壁面に浴槽用グリップを取り付け、入浴者が浴槽用グリップを把持することにより、浴槽の出入りを安全に行なえるようにした構造が知られている（例えば、特許文献１参照）。
【０００３】
ところが、上記特許文献１に見られる従来例では、浴槽用グリップが浴槽近くの壁面に固定されているために、浴槽と壁面とが離れている場合は、浴槽用グリップを把持する際に入浴者が壁面付近まで近づかなければならず、また入浴者が無理に手を伸ばして把持しなければならず、使い難いという問題があった。さらに浴槽用グリップは壁面から突出しているため、使わないときは納まりが悪く、例えば浴槽を清掃する際には清掃作業の邪魔になるという問題もあった。
【特許文献１】特開平８−１８７１９７号公報
【発明の開示】
【発明が解決しようとする課題】
【０００４】
本発明は上記の従来の問題点に鑑みて発明したものであって、浴槽の出入りの際に入浴者の体を支えるのに都合がよく、浴槽の出入りや入浴時に邪魔になることもなく、使い勝手がきわめて良好であり、また使用しないときは邪魔にならない位置に保持できると共に簡易な物干しバーとして付加価値を高めることができる浴室用握りバーを提供することを課題とするものである。
【課題を解決するための手段】
【０００５】
前記課題を解決するために本発明にあっては、洗い場２と浴槽３との境界となる浴槽フランジ部４のコーナー部４ａと該コーナー部４ａの上方の天井部６との間に握りバー７を配置し、該握りバー７の基端７ａが天井部６に回動自在に吊り下げ支持されると共に該握りバー７の先端７ｂが浴槽フランジ部４のコーナー部４ａに設けた凹部５に抜き差し自在とされ、該握りバー７の先端７ｂを凹部５に差し込むことで握りバー７が垂直姿勢で保持され、該握りバー７の先端７ｂを凹部５から抜いて基端７ａ側を支点にして横方向に回動させることで、該握りバー７を垂直姿勢から横向き姿勢に変更可能としたことを特徴としている。
【０００６】
このような構成とすることで、握りバー７の先端７ｂを浴槽フランジ部４のコーナー部４ａに設けた凹部５に差し込むことにより握りバー７が垂直姿勢で保持され、入浴者が中腰の姿勢や立ち座りの姿勢で握りバー７を握って体を支えるのに都合がよくなり、しかも浴槽３の出入りや入浴時に邪魔になることもない。一方、使用しないときは、握りバー７の先端７ｂを凹部５から抜いて基端７ａ側を支点にして横方向に回動させることで垂直姿勢から横向き姿勢に変更となり、これにより、握りバー７を邪魔にならない位置に保持できるようになる。
【発明の効果】
【０００７】
本発明は、握りバーの先端を浴槽フランジ部のコーナー部に設けた凹部に差し込むことにより握りバーを垂直姿勢で保持でき、入浴者が中腰の姿勢や立ち座りの姿勢で握りバーを握って体を支えるのに都合がよくなり、しかも浴槽の出入りや入浴時に邪魔になることもないので、従来の浴槽用グリップを壁面に固定した場合のように壁面付近まで入浴者が近づく必要がなくなり、使い勝手がきわめて良好となる。また、使用しないときは、垂直姿勢から横向き姿勢に変更させることにより、握りバーを邪魔にならない位置に保持でき、これにより浴槽の清掃等が容易に行なえると共に、タオル類などを干すことができる簡易な物干しバーとしても有効に使用可能となる。
【発明を実施するための最良の形態】
【０００８】
以下、本発明を添付図面に示す実施形態に基いて説明する。
【０００９】
図１は本発明の握りバー７の使用状態の説明図であり、図１の実線は握りバー７の垂直姿勢を示し、仮想線は横向き姿勢を示している。
【００１０】
システムバスルーム等の浴室１内には、浴槽３と洗い場２とが隣接して設けられていると共に、浴槽フランジ部４のコーナー部４ａ側に寄せて本発明の回動式の握りバー７が配設されている。
【００１１】
回動式の握りバー７は、洗い場２と浴槽３との境界となる浴槽フランジ部４のコーナー部４ａと、該コーナー部４ａの上方の天井部６との間に亘って掛け渡されており、入浴者が把持したり、寄りかかったり、抱え込んだりすることで、入浴の者の体を支えることができる太さと強度とを有しており、例えば、ステンレス製金属、合成樹脂、木材等で真っ直ぐなパイプ状或いは中実棒状に形成されている。
【００１２】
上記浴槽フランジ部４のコーナー部４ａには、図２に示すように、上方に開放された有底筒状の凹部５が設けられており、この凹部５には握りバー７の先端７ｂが抜き差し自在とされ、握りバー７の先端７ｂを凹部５に差し込むことで握りバー７が垂直姿勢で保持される。なお、凹部５の底には浴槽フランジ部４の下方に貫通する水抜き孔５ａを設けて、凹部５内に水が溜まらないようにするのが望ましい。
【００１３】
一方、握りバー７の基端７ａは、回動支持部８により回動自在に吊り下げ支持されている。回動支持部８は、浴槽フランジ部４のコーナー部４ａの上方の天井部６に固定されている。本例の回動支持部８は、図２に示すように、握りバー７の基端７ａを回動自在にガイドする下方向乃至横方向に開口したガイド溝９と、ガイド溝９の奥に固定された固定ピン１０と、固定ピン１０に接続される圧縮コイルバネからなるロックバネ１１とを備えている。握りバー７の基端７ａは、ロックバネ１１に連結されており、これにより握りバー７の基端７ａが固定ピン１０側を支点にして図１の矢印方向に回動自在となり且つロックバネ１１の伸縮によって握りバー７はその軸方向（凹部５又は天井側凹所１２に対して抜き差しする方向）にスライド可能となっている。
【００１４】
また上記回動支持部８から離れた天井位置には、図１に示すように、回動支持部８と対面する方向に開放された天井側凹所１２を有するホルダー部１３が固定されている。天井側凹所１２は、回動支持部８と凹部５との間の距離Ａと同じ距離をあけて、回動支持部８と対面する位置に配置されており、握りバー７を横向きにしてその先端７ｂを天井側凹所１２に差し込むことで、握りバー７を横向き姿勢で保持できるようになっている。なお、天井側凹所１２を有するホルダー部１３の取り付け位置は特に限定されないものであり、浴槽３の上方位置に限らず、洗い場２の上方位置であってもよく、握りバー７の先端７ｂの回動位置に合わせて適宜設計変更自在である。
【００１５】
しかして、上記構成の握りバー７は浴槽フランジ部４のコーナー部４ａに寄せて垂直姿勢で保持されるので、入浴者が中腰の姿勢や立ち座りの姿勢で握りバー７を握って体を支えるのに都合がよく、しかも入浴者が浴槽３に出入りする際に手を伸ばすことなく楽に握りバー７を把持できると共に、握りバー７は天井部６まで起立しているので、老人や子供でも使いやすくなり、また、握りバー７を浴槽フランジ部４のコーナー部４ａに寄せたことによって、浴槽３の出入りや入浴時に邪魔になることもなく、さらに、従来のように体を壁面付近に寄せる必要もないものであり、使い勝手がきわめて良好となる。
【００１６】
また、握りバー７の先端７ｂが差し込まれる凹部５は有底筒状に形成されているので、握りバー７の先端７ｂが凹部５の内周面及び底面で受け止められ、入浴者が立ち上がる際に十分に力を入れることができ、また立ち上がってからでも立ち姿勢を十分に支えることができる。しかも、人が意識的に握りバー７を持ち上げない限り、ロックバネ１１によって握りバー７の先端７ｂは凹部５に差し込まれた状態で保持されるものであり、従って、浴槽フランジ部４のコーナー部４ａに凹部５を設けるという簡易な構造でありながら、握りバー７の固定強度を高めて安全に使用できると共に、握りバー７を浴槽フランジ部４のコーナー部４ａに寄せたことにより、従来のように浴槽用グリップを壁面に固定した場合のように壁面付近まで入浴者が近づく必要もなくなり、結果、浴槽３が壁面から離れている場合であっても本発明の握りバー７を安全に且つ楽に使用できるものである。
【００１７】
また、使用しないときは、握りバー７の先端７ｂを凹部５から抜いて基端７ａ側を支点にして横方向に回動させることで垂直姿勢から横向き姿勢に変更となり、これにより、例えば浴槽３の清掃時には握りバー７を邪魔にならない天井位置に保持できる。さらにこの握りバー７の先端７ｂを天井側凹所１２に差し込むようにしたことにより、横向き姿勢を保つことができ、例えばタオル類などを干すための簡易な物干しバーとしても有効に使用でき、握りバー７の付加価値を高めることができる。また本例では回動支持部８を起点として握りバー７の先端７ｂを図１の矢印方向に約９０°回動させる構造において、その回動方向の両端位置に凹部５と天井側凹所１２とを配置することで、きわめて効率の良い設備配置とすることができる。
【００１８】
また本例では、回動支持部８に設けた固定ピン１０と握りバー７の基端７ａとをロックバネ１１により連結したことにより、握りバー７の先端７ｂを浴槽フランジ部４の凹部５（或いは天井側凹所１２）に差し込むときにロックバネ１１のバネ力で差し込み状態が確実に保持されるものであり、従って、握りバー７の先端７ｂが凹部５（或いは天井側凹所１２）から簡単に離脱することがなく安全性を確保できる。また握りバー７の先端７ｂを凹部５（或いは天井側凹所１２）から引き抜く力が加わるとロックバネ１１が収縮することで、簡単に引き抜くことができる。
【００１９】
さらに本例では、握りバー７を施工するにあたって、例えば長めの握りバー７を用意し、現場で握りバー７の基端７ａを回動支持部８に吊り下げ支持した状態で、握りバー７の先端７ｂを浴槽フランジ部４のコーナー部４ａに設けた凹部５の高さ位置に合わせて切断することにより、現場で最適寸法に調整可能となる。従って、１種類の握りバー７でさまざまな仕様の浴槽３に対応できるので、施工性が良好になるうえに、握りバー７の製造及び在庫管理を省略化できる利点もある。
【図面の簡単な説明】
【００２０】
【図１】本発明の一実施形態に用いられる握りバーの使用状態の説明図であり、図１中の実線は握りバーの垂直姿勢を示し、仮想線は横向き姿勢を示している。
【図２】同上の握りバーの基端を回動支持部から吊り下げ支持し、先端を浴槽フランジ部の凹部に差し込んだ状態を説明する一部省略断面図である。
【符号の説明】
【００２１】
１  浴室
２  洗い場
３  浴槽
４  浴槽フランジ部
４ａ  コーナー部
５  凹部
６  天井部
７  握りバー
７ａ  基端
７ｂ  先端
【図１】
2008289806.tif 000003
【図２】
2008289806.tif 000004